(57)【要約】      （修正有）【課題】全体の構造を小型化でき，しかも装着者の頭髪に対する取付作業を容易に行うことのできるヘアーエクステンション及びその取付方法を提供。【解決手段】複数の擬毛の一端部が接着剤により束ねて固定された平板状の２つの固定部分１１，２１と，各固定部分から延びる擬毛の懸下部分１２，２２と，各固定部分の一方の面に設けられた粘着層１３，２３と，を有する。そして，２つの固定部分同士が連接した境界線Ｂ上を含む位置には，切欠き３０が形成されている。【選択図】図１
2013256734.tif 000002
【特許請求の範囲】
【請求項１】
複数の擬毛を含む第１部（１０）及び第２部（２０）を有するヘアーエクステンションであって，
前記第１部（１０）と前記第２部（２０）のそれぞれは，
複数の擬毛の一端部が接着剤により束ねて固定された平板状の固定部分（１１，２１）と，
前記固定部分（１１，２１）から延びる前記擬毛の懸下部分（１２，２２）と，
前記固定部分（１１，２１）の一方の面に設けられた粘着層（１３，２３）と，を有し，
前記第１部（１０）の固定部分（１１）と，前記第２部（２０）の固定部分（２１）は，前記懸下部分（１２，２２）が同一の方向に延びる状態で，幅方向に並んで連接しており，
前記固定部分（１１，２１）同士が連接した境界線上を含む位置には，切欠き（３０）が形成されており，
前記第１部（１０）の固定部分（１１）と，前記第２部（２０）の固定部分（２１）を前記境界線に沿って折曲げ，前記第１部（１０）の粘着層（１３）と，前記第２部（２０）の粘着層（２３）との間に，装着者の頭髪を挟み込むことにより取り付けられる
ヘアーエクステンション。
【請求項２】
前記第１部（１０）の固定部分（１１）と，前記第２部（２０）の固定部分（２１）のそれぞれは，
長さ方向の一端から前記擬毛が延びる矩形状の固定部分本体（１１ａ，２１ａ）と，
前記固定部分本体（１１ａ，２１ａ）の長さ方向の他端から突出し，前記固定部分本体（１１ａ，２１ａ）よりも幅狭の突出部（１１ｂ，２１ｂ）と，を有し，
前記第１部（１０）の固定部分（１１）と，前記第２部（２０）の固定部分（２１）は，前記固定部分本体（１１ａ，２１ａ）において連接しており，
前記第１部（１０）の突出部（１１ｂ）と前記第１部（１０）の突出部（２１ｂ）の間の隙間が，前記切欠き（３０）となる
請求項１に記載のヘアーエクステンション。
【請求項３】
前記突出部（１１ｂ，２１ｂ）の縁は，円弧状に形成されている
請求項２に記載のヘアーエクステンション。
【請求項４】
前記固定部分（１１，２１）を形成する接着剤には，熱可塑性接着剤が用いられている
請求項１から請求項３のいずれかに記載のヘアーエクステンション。
【請求項５】
前記固定部分（１１，２１）の幅は，１ｍｍ以上７ｍｍ以下であり，
前記固定部分（１１，２１）の長さは，４ｍｍ以上１０ｍｍ以下であり，
前記懸下部分（１２，２２）の長さは，５０ｍｍ以上１５０ｍｍ以下である
請求項１から請求項４のいずれかに記載のヘアーエクステンション。
【請求項６】
前記第１部（１０）に含まれる擬毛と，前記第２部（２０）に含まれる擬毛は，異なる色の染毛剤により着色されたものである
請求項１から請求項５のいずれかに記載のヘアーエクステンション。
【請求項７】
前記第１部（１０）は，さらに磁石板（１４）を含み，
前記第２部（２０）は，さらに磁性を持つ金属板（２４）を含み，
前記磁石板（１４）と前記金属板（２４）は，ヘアーエクステンションの取り付け時において互いに対面する位置に設けられている
請求項１から請求項６のいずれかに記載のヘアーエクステンション。
【請求項８】
請求項１から請求項７のいずれかに記載のヘアーエクステンションを用い，
前記第１部（１０）の固定部分（１１）と，前記第２部（２０）の固定部分（２１）を前記境界線に沿って折曲げる工程と，
前記第１部（１０）の粘着層（１３）と，前記第２部（２０）の粘着層（２３）との間に，装着者の頭髪を挟み込む工程と，を含む
ヘアーエクステンションの取付方法。
【請求項９】
前記ヘアーエクステンションを複数個用意し，
複数個の前記ヘアーエクステンションを，上段と下段の二段分け，
左右方向において，上段のヘアーエクステンションと，下段のヘアーエクステンションが互い違いになるように，装着者の頭髪に取り付ける
請求項８に記載のヘアーエクステンションの取付方法。
【発明の詳細な説明】
【技術分野】
【０００１】
本発明は，装着者の頭髪に取り付けて使用されるヘアーエクステンション，及びヘアーエクステンションの取付方法に関するものである。
【背景技術】
【０００２】
従来から，美容・理容業界におけるヘアアレンジの手法として，ヘアーエクステンションと呼ばれるつけ毛を頭髪に取り付けることが知られている。ヘアーエクステンションは，人毛や合成繊維等の擬毛を束ねることで構成されており，例えば外見上頭髪を長く見せことを目的として用いられる。このように，ヘアーエクステンションを用いれば，頭髪の長さを簡単に調節することが出来るため，装着者は気軽に様々なヘアスタイルを楽しむことができる。
【０００３】
また，従来のヘアーエクステンションとして，特許文献１に開示されたものが知られている。特許文献１に記載の発明は，頭髪に融着可能な樹脂製の融着部と，この融着部の下端から下方へ延びる毛とを備えたヘアーエクステンションに関する。このヘアーエクステンションは，融着部を，上下方向に沿う折り返し部が１本付与され，一方の側端部が他方の側端部に隣接可能な平板体として形成する。また，毛を，少なくともいずれか一方の側端部下端と折り返し部下端の間全部に亘って並べて構成している。また，特許文献１のヘアーエクステンションは，頭髪を融着部の内部に入れ，折り返し部で曲がることで内部に頭髪を挟み込んだ状態において融着部をその頭髪に融着させることで，頭髪に取付けられる。
【先行技術文献】
【特許文献】
【０００４】
【特許文献１】特開２００９−３０２０１号公報
【発明の概要】
【発明が解決しようとする課題】
【０００５】
ところで，上記した特許文献１の発明に代表されるように，従来のヘアーエクステンションは，頭髪を長く見せることを目的として利用されることが多い。例えば，従来のヘアーエクステンションは，一般的に，装着者の頭部のこめかみよりも下に取り付けられ，取り付けたときに，その先端が着用者自身の頭髪よりも下方に延出するように設計されている。このため，従来のヘアーエクステンションは，その全体の構造が比較的大きいものとなっている。
【０００６】
例えば，特許文献１のヘアーエクステンションを取り付ける際には，頭髪が挿通された樹脂製の融着部を指で摘まむ。そして，この融着部を指で摘みながら，グルーガンと呼ばれる加熱装置によって挟み込んで加熱し，頭髪に融着させる。このため，ヘアーエクステンションの融着部は，人が指で摘んだ状態でグルーガンによって挟み込むことができる程度に，長さ及び幅が確保されていなければならない。
【０００７】
他方，近年では，頭髪を長く見せるだけでなく，頭髪のボリュームを多く見せたいという要望が増している。特に，頭部における前髪や旋毛の周囲にヘアーエクステンションを取り付けて，自然な毛量のボリュームアップを実現したいという要望が数多くみられる。
【０００８】
しかし，従来のヘアーエクステンションのように，頭髪に固定される部分（融着部）の構造が大きいと，例えば前髪や旋毛の周囲に取り付けた場合に，ヘアーエクステンションを上手く装着者自身の頭髪の中に紛れ込ませることができずに，外見上非常に不自然に見えるという不具合があった。
【０００９】
そこで，このような不具合を解消するために，従来のヘアーエクステンションの寸法を調節し，前髪や旋毛の周囲に取り付けても自然な外観となるように，例えば頭髪に固定される部分（融着部）の幅や長さを小さくしたり，擬毛の長さを短くしたりすることが考えられる。しかしながら，上述した通り，特許文献１に記載されたようなヘアーエクステンションは，少なくとも，指で摘んだ状態でグルーガンによって挟み込むことができる程度に，融着部の長さ及び幅が確保されていなければならない。このため，従来のヘアーエクステンションの構造を単純に小型化したものを用いると，融着部を指で摘むことは出来ても，グルーガンによって挟み込んで融着することが極めて困難になるという問題が生じていた。
【００１０】
このため，現在では，前髪や旋毛の周囲にも自然に取り付けることができるように，全体の構造を小型化でき，しかも装着者の頭髪に対する取付作業を容易に行うことのできるヘアーエクステンション及びその取付方法が求められている。
【課題を解決するための手段】
【００１１】
そこで，本発明の発明者は，上記の従来発明の問題点を解決する手段について鋭意検討した結果，複数の擬毛の一端部を束ねて固定した２つの固定部分を形成し，この２つの固定部分を連接させつつも，その連接境界線上に切欠きを設けることで，２つの固定部分を小型化した場合であっても，その間に頭髪を挟み込み易くなるという知見を得た。さらに，固定部分の一方の面に粘着層を設けることで，着用者の頭髪に対し，２つの固定部分で挟み込んで接着又は仮接着し易くなるという知見を得た。そして，これらの知見に基づけば，従来発明の課題を解決でき，前髪や旋毛の周囲であっても自然に取り付けることのできるヘアーエクステンションを提供できることに想到し，本発明を完成させた。
具体的に本発明は，以下の構成を有する。
【００１２】
本発明の第１の側面は，ヘアーエクステンションに関する。
本発明のヘアーエクステンションは，複数の擬毛を含む第１部１０及び第２部２０を有する。
第１部１０と第２部２０のそれぞれは，複数の擬毛の一端部が接着剤により束ねて固定された平板状の固定部分１１，２１と，固定部分１１，２１から延びる擬毛の懸下部分１２，２２と，固定部分１１，２１の一方の面に設けられた粘着層１３，２３と，を有している。
また，第１部１０の固定部分１１と，第２部２０の固定部分２１は，懸下部分１２，２２が同一の方向に延びる状態で，幅方向に並んで連接している。
また，固定部分１１，２１同士が連接した境界線上を含む位置には，切欠き３０が形成されている。
そして，本発明のヘアーエクステンションは，第１部１０の固定部分１１と，第２部２０の固定部分２１を境界線に沿って折曲げ，第１部１０の粘着層１３と，第２部２０の粘着層２３との間に，装着者の頭髪を挟み込むことにより取り付けられる。
【００１３】
上記構成のように，まず，固定部分１１，２１同士が連接した境界線上を含む位置に切欠き３０を形成することで，固定部分１１，２１を，その境界線に沿って折り畳み易くなる。特に，美容師や装着者本人などの作業者が，装着者の頭髪にヘアーエクステンションを取り付ける作業を行う際，切欠き３０を指で触ることにより，固定部分１１，２１の境界線上の位置を把握し易くなる。このため，本発明の構造を採用すれば，ヘアーエクステンションを小型化した場合であっても，作業者は簡単にヘアーエクステンションを頭髪に取り付けることができる。
また，第１部１０の固定部分１１と第２部２０の固定部分２１の一方の面に，粘着層１３，２３を設けることで，作業者は，例えばグルーガン等の加熱装置を用いずに，ヘアーエクステンションを頭髪に接着又は仮接着することができる。すなわち，本発明は，従来発明のように固定部分１１，２１を指で摘んだ状態でグルーガンによって挟み込む必要がないため，固定部分１１，２１を小型化できる。
さらに，固定部分１１，２１同士の境界線上に切欠き３０を設けることで，固定部分１１，２１同士を貼り合わせる際のズレを防止できる。このため，各固定部分１１，２１に設けられた粘着層１３，２３をピッタリと重ね合わせることが容易になり，粘着層１３，２３の頭髪に対する接着状態が長く持続するようになる。
従って，本発明のヘアーエクステンションを用いれば，装着者の前髪や旋毛の周囲であっても簡単に取り付けることができ，しかも自然な毛量のボリュームアップを実現できる。
【００１４】
本発明に係るヘアーエクステンションの好ましい形態において，第１部１０の固定部分１１と，第２部２０の固定部分２１のそれぞれは，長さ方向の一端が懸下部分１２，２２へと連続する固定部分本体１１ａ，２１ａと，固定部分本体１１ａ，２１ａの長さ方向の他端から突出し固定部分本体１１ａ，２１ａよりも幅狭の突出部１１ｂ，２１ｂと，を有している。
また，第１部１０の固定部分１１と，第２部２０の固定部分２１は，固定部分本体１１ａ，２１ａにおいて連接している。
そして，第１部１０の突出部１１ｂと第１部１０の突出部２１ｂの間の隙間が，切欠き３０となる。
【００１５】
上記構成のように，本発明の好ましい形態では，各固定部分１１，２１が，固定部分本体１１ａ，２１ａと，突出部１１ｂ，２１ｂにより構成されている。そして，突出部１１ｂ，２１ｂ同士の隙間が切欠き３０を形成していることで，固定部分本体１１ａ，２１ａを折り畳み易くなる。
【００１６】
また，上記した各突出部１１ｂ，２１ｂの縁は，円弧状に形成されていることが好ましい。ヘアーエクステンションは，頭髪に紛れ込ませて使用するものであるため，各突出部１１ｂ，２１ｂの縁に角があると，その角が頭髪に引っ掛かったり，装着者が手で頭髪に触れたときに違和感を感じることがある。この点，各突出部１１ｂ，２１ｂの縁を滑らかな円弧状で形成することで，これらの問題を解消できる。
【００１７】
本発明において，固定部分１１，２１を形成する接着剤には，熱可塑性接着剤が用いられていることが好ましい。
【００１８】
上記構成のように，擬毛の一端部を熱可塑性接着剤により束ねて固定して，各固定部分１１，２１を形成する。これにより，粘着剤層１３，２３を利用して仮接着した後に，各固定部分１１，２１をグルーガン等によって加熱することで，熱可塑性接着剤を利用して融着することができる。このように，各固定部分１１，２１を指で摘んで頭髪に仮接着し，その後，指を離した状態で熱可塑性接着剤を加熱して行う本接着を行うことができるため，ヘアーエクステンションの取付作業が容易になり，かつ各固定部分１１，２１を小型化できる。
【００１９】
本発明のヘアーエクステンションにおいて，固定部分１１，２１の幅は１ｍｍ以上７ｍｍ以下であり，固定部分１１，２１の長さは４ｍｍ以上１０ｍｍ以下であり，懸下部分１２，２２の長さは５０ｍｍ以上１５０ｍｍ以下であることが好ましい。
【００２０】
上記構成のように，本発明のヘアーエクステンションは，従来のヘアーエクステンションと比較して，極めて小型に設計されることが好ましい。上記寸法を満たすヘアーエクステンションは，装着者の前髪や旋毛の周囲に取り付けても殆ど目立たないため，極めて自然に毛量のボリュームアップを行うことができる。
【００２１】
本発明のヘアーエクステンションにおいて，第１部１０に含まれる擬毛と，第２部２０に含まれる擬毛は，異なる色で染毛されていることが好ましい。
【００２２】
上記構成のように，第１部１０に含まれる擬毛と，第２部２０に含まれる擬毛を異なる色で染毛しておくことにより，装着者は，部分的な細かいカラーリングを楽しむことができる。特に，ヘアーエクステンションを装着することで，第１部１０に含まれる擬毛と，第２部２０に含まれる擬毛は重なり合うため，従来は表現し難かった２色の染毛が細かく混じり合うカラーリングを実現できる。
【００２３】
本発明のヘアーエクステンションにおいて，第１部１０がさらに磁石板１４を含み，第２部２０がさらに磁性を持つ金属板２４を含み，磁石板１４と金属板２４は，ヘアーエクステンションの取り付け時において互いに対面する位置に設けられていることとしてもよい。
【００２４】
上記構成のように，第１部１０に磁石板１４を設け，第２部２０に金属板２４を設けることにより，ヘアーエクステンションの作業時において，磁石板１４と金属板２４が引き合うため，取付作業がさらに容易になる。
【００２５】
本発明の第２の側面は，ヘアーエクステンションの取付方法に関する。
本発明の取付方法は，上記した第１の側面に係るヘアーエクステンションを用い，
第１部１０の固定部分１１と，第２部２０の固定部分２１を境界線に沿って折り曲げる工程と，
第１部１０の粘着層１３と，第２部２０の粘着層２３との間に，装着者の頭髪を挟み込む工程と，を含む。
【００２６】
上記の工程によれば，装着者の頭部に対し，ヘアーエクステンションを容易に取り付けることができる。
【００２７】
本発明の取付方法において，ヘアーエクステンションを複数個用意し，複数個のヘアーエクステンションを少なくとも上段と下段の二段分けた場合に，左右方向において，上段のヘアーエクステンションと，下段のヘアーエクステンションが互い違いになるように，装着者の頭髪に取り付けることが好ましい。
【００２８】
上記のように，上段のヘアーエクステンションと下段のヘアーエクステンションを，左右方向において互い違いになるように取り付けることで，各ヘアーエクステンションが，頭髪に自然になじむようになる。特に，複数個のヘアーエクステンションが互い違いで取付けられることで，装着者が，手で髪をすいたとき等であってもヘアーエクステンションが引っ掛かりにくくなり，装着者に対しより自然な着用感を与えることができる。
【発明の効果】
【００２９】
本発明のヘアーエクステンションは，２つの固定部分同士の境界線上に切欠きが形成されているため，各固定部分を，その境界線に沿って折り畳み易くなる。
【００３０】
また，本発明のヘアーエクステンションは，各固定部分の一方の面に粘着層が設けられているため，作業者は，例えばグルーガン等の加熱装置を用いずに，ヘアーエクステンションを頭髪に接着又は仮接着することができる。
【００３１】
従って，本発明のヘアーエクステンションは，全体の構造を小型化でき，しかも装着者の頭髪に対する取付作業を容易に行うことのできるため，着用者の前髪や旋毛の周囲であっても自然に取り付けることができる。
【図面の簡単な説明】
【００３２】
【図１】図１は，ヘアーエクステンションの全体構成を示す平面図である。図１（ａ）は，ヘアーエクステンションを正面側からみた状態を示しており，図１（ｂ）は，ヘアーエクステンションを背面側からみた状態を示している。
【図２】図２は，ヘアーエクステンションの断面を示した断面斜視図である。
【図３】図３は，ヘアーエクステンションを，着用者の頭髪に取り付ける状態を示す模式図である。
【図４】図４は，ヘアーエクステンションの好ましい取り付け位置を説明するための模式図である。
【図５】図５は，複数個ヘアーエクステンションの好ましい取り付け位置を示す模式図である。
【図６】図６は，他の形態に係るヘアーエクステンションの断面を示した断面斜視図である。
【発明を実施するための形態】
【００３３】
以下，図面を用いて本発明を実施するための形態について説明する。本発明は，以下に説明する形態に限定されるものではなく，以下の形態から当業者が自明な範囲で適宜修正したものも含む。
なお，本願明細書において，「長さ方向」というときは，ヘアーエクステンションを構成する擬毛が延びる方向（図１のＹ方向）を意味し，「幅方向」というときは，長さ方向に対し平面的に直交する方向（図１のＸ方向）を意味する。また，「厚み方向」というときは，「長さ方向」及び「厚み方向」に対し立体的に直交する方向（図２のＺ方向）を意味する。
また，本願明細書において，「Ａ〜Ｂ」とは，基本的に「Ａ以上Ｂ以下」であることを意味する。
【００３４】
図１は，本発明に係るヘアーエクステンション１の全体構成を示す平面図である。図１（ａ）は，ヘアーエクステンション１を正面側からみた状態を示しており，図１（ｂ）は，ヘアーエクステンション１を背面側からみた状態を示している。また，図２は，ヘアーエクステンション１の断面を模式的に示した断面図である。なお，図２は，ヘアーエクステンションを構成する各層に概念的な厚みを持たせて描画している。
【００３５】
図１（ａ）（ｂ）に示されるように，ヘアーエクステンション１は，長さ方向（Ｙ方向に）延びる境界線Ｂを隔てて，複数の擬毛２を含む第１部１０と，複数の擬毛３を含む第２部２０を有している。第１部１０と第２部２０は，擬毛２，３の一端部側において部分的に連接している。第１部１０と第２部２０を形成する擬毛２，３としては，例えば，人毛，人工毛，又は人毛と人工毛を混在させたものを用いることができる。また，人工毛としては，例えばナイロン又はポリエステルの高分子繊維からなるもの等，公知の合成繊維を適宜用いることができる。擬毛２，３本数は，それぞれ，５０本〜３００本，又は８０本〜１５０本とすることが好ましい。
【００３６】
また，第１部１０に含まれる複数の擬毛２と，第２部２０に含まれる複数の擬毛３は，異なる色で染毛されていることとしてもよい。ここで，「異なる色」とは，明るさ，色相，又は彩度のうち，少なくともいずれか一つが異なることを意味する。また，単に色相が異なる色ばかりでなく，同じ色相であっても，彩度又は明度が，意図的に異なるものとされた色は，「異なる色」とする。基本的に，第１部１０に含まれる複数の擬毛２と，第２部２０に含まれる複数の擬毛３が，含有成分の異なる染毛剤を用いて染め上げされている場合，両者は「異なる色」であるといえる。このように，第１部１０に含まれる複数の擬毛２と，第２部２０に含まれる複数の擬毛３を，異なる色の染毛剤で染め上げて構成することで，多彩なカラーバリエーションを提供できるようになる。
【００３７】
図１に示されるように，第１部１０は，第１の固定部分１１と，第１の懸下部分１２を含んで構成されている。また，同様に，第２部２０は，第２の固定部分２１と，第２の懸下部分２２を含んで構成されている。
【００３８】
第１の固定部分１１及び第２の固定部分２１は，複数の擬毛２，３の一端部を束ねた上で，この束ねた部分に，透明又は半透明の熱可塑性樹脂接着剤を塗布して固めることで，平板状に形成されている。このため，第１の固定部分１１及び第２の固定部分２１は，外見上，単に擬毛２，３の一端部が束になって固まっているように見える。熱可塑性樹脂接着剤としては，任意の適切な樹脂系接着剤を採用できる。熱可塑性樹脂接着剤の具体例としては，ウレタン系，ナイロン等のアミド系，ポリブチレンテレフタレート（ＰＢＴ）等のエステル系，アクリル系等が挙げられる。熱可塑性樹脂接着剤は，一度固まった後であっても，加熱することにより再度溶融する。熱可塑性樹脂接着剤を再度溶融させるときの融点は，８０〜１５０℃であることが好ましい。
【００３９】
第１の固定部分１１及び第２の固定部分２１は，樹脂系接着剤が固まった状態において平板状に形成されており，一定の長さ，幅，及び厚みを有している。各固定部分１１，２１の長さ（Ｙ方向における長さ）は，２ｍｍ〜１５ｍｍであり，特に４ｍｍ〜１０ｍｍであることが好ましく，さらに５ｍｍ〜７ｍｍであることが好ましい。また，各固定部分１１，２１の幅（Ｘ方向における長さ）は，１ｍｍ〜１０ｍｍであり，特に２ｍｍ以上７ｍｍ以下であることが好ましく，さらに３ｍｍ〜５ｍｍであることが好ましい。また，各固定部分１１，２１の厚み（Ｚ方向における長さ）は，０．１ｍｍ〜３ｍｍ，又は０．５ｍｍ〜２ｍｍであることが好ましい。本発明において，各固定部分１１，２１は，例えば装着者の前髪や旋毛の周辺にも取り付けることができるように，上記寸法のように小型なものであることが好ましい。
【００４０】
また，具体的に説明すると，図１に示されるように，第１の固定部分１１は，第１の固定部分本体１１ａと，第１の突出部１１ｂとによって構成されている。同様に，第２の固定部分２１は，第２の固定部分本体２１ａと，第２の突出部２１ｂとによって構成されている。なお，各突出部１１ｂ，２１ｂと，各固定部分本体１１ａ，２１ａは，一体的に形成されている。
【００４１】
第１の固定部分本体１１ａ及び第２の固定部分本体２１ａは，それぞれ，長さ方向（Ｙ方向）の一端が，第１の懸下部分１２及び第２の懸下部分２２に連続しており，長さ方向の他端が，第１の突出部１１ｂ及び第２の突出部２１ｂに連続している。第１の固定部分本体１１ａ及び第２の固定部分本体２１ａは，それぞれ，図１に示されるように，矩形の領域となっていることが好ましい。
【００４２】
そして，図１に示されるように，第１の固定部分１１と第２の固定部分２１は，第１の固定部分本体１１ａ及び第２の固定部分本体２１ａにおいて，幅方向に並んで連接している。ここにいう「連接」とは，第１の固定部分本体１１ａと第２の固定部分本体２１ａが予め一体的に構成されている場合と，別途形成された第１の固定部分本体１１ａと第２の固定部分本体２１ａが，接着剤やテープ等によって接合された場合の両方を含む。このように，第１の固定部分本体１１ａと第２の固定部分本体２１ａが連接することで，第１部１０と第２部１０は，部分的に連接することとなる。
【００４３】
また，第１の突出部１１ｂと第２の突出部２１ｂは，上記した第１の固定部分本体１１ａと第２の固定部分本体２１ａから，擬毛２，３が延出する方向とは反対の方向に，突出した領域である。各突出部１１ｂ，２１ｂは，各固定部分本体１１ａ，２１ａよりも，幅が狭く形成されている。すなわち，図１に示されるように，各突出部１１ｂ，２１ｂは，各固定部分本体１１ａ，２１ａと連続する部分においては，各固定部分本体１１ａ，２１ａとほぼ同じ幅であり，上方に向かうにつれて徐々に幅狭となる。例えば，図１に示されるように，各突出部１１ｂ，２１ｂの縁は，滑らかな円弧状に形成されていることが好ましい。また，第１の突出部１１ｂと第２の突出部２１ｂの間には隙間が生まれる。この隙間は，切欠き３０となる。
【００４４】
図１及び図２に示されるように，切欠き３０は，第１の固定部分１１と第２の固定部分２１が連接した境界線Ｂを含む位置に形成される。少なくとも，切欠き３０の頂点３１（各突出部１１ｂ，２１ｂの間が最も近い点）は，境界線Ｂ上に位置する。また，切欠き３０が形成されるＹ方向の長さは，各固定部分１１，２１のＹ方向の長さに対して，１０％〜７０％，２０％〜６０％，又は３０％〜５０％であることが好ましい。言い換えると，各突出部１１ｂ，２１ｂのＹ方向の長さは，各固定部分１１，２１のＹ方向の長さに対して，１０％〜７０％，２０％〜６０％，又は３０％〜５０％であることが好ましい。このように，第１の固定部分１１と第２の固定部分２１の境界線Ｂ上の一部に，切欠き３０が形成されていることにより，各固定部分１１，２１を，境界線Ｂに沿って簡単に折畳むことができるようになる。また，切欠き３０を形成することで，作業者が各固定部分１１，２１を指で摘んだときに，各固定部分１１，２１の境界線の位置を把握し易くなる。
【００４５】
図１（ｂ）及び図２に示されるように，第１の固定部分１１の一方の面には，全面的に，第１の粘着層１３が設けられている。また，第２の固定部分２１の一方の面にも，全面的に，第２の粘着層２３が設けられている。第１の粘着層１３と第２の粘着層２３は，同一の面に設けられる。各粘着層１３，２３としては，天然ゴム系，合成ゴム系，アクリル系，又はホットメルト系等の種々の粘着剤を使用することができる。また，各粘着層１３，２３は，公知の両面テープを用いてもよい。また，各粘着層１３，２３は，一体に形成されていてもよいし，各固定部１１，２１ごとに別々に形成されていてもよい。
【００４６】
また，図２に示されるように，ヘアーエクステンション１を使用する前の状態において，各粘着層１３，２３には，剥離紙４０が添付されていてもよい。剥離紙４０は，ヘアーエクステンション１が使用されるまでは各粘着層１３，２３を保護し，使用時は各粘着層１３，２３から剥離されるものである。剥離紙４０としては適度な剥離性を有するものであれば公知のものを適宜選択して用いることができる。剥離紙４０としては，例えば，ポリエステルフィルム，又は，片面若しくは両面にシリコーン樹脂を塗布した上質紙等が挙げられる。
【００４７】
他方，図１に示されるように，第１部１０は，第１の固定部分１１に連続する第１の懸下部分１２を含む。また，第２部２０は，第２の固定部２１に連続する第２の懸下部分２２を含む。
第１の懸下部分１２は，第１の固定部分１１から延びる擬毛２により形成される。すなわち，擬毛２のうち，熱可塑性樹脂接着剤により固定された第１の固定部分１１以外の部分が，第１の懸下部分１２となる。
同様に，第２の懸下部分２２は，第２の固定部分２１から延びる擬毛３により形成される。すなわち，擬毛３のうち，熱可塑性樹脂接着剤により固定された第２の固定部分２１以外の部分が，第２の懸下部分２２となる。
【００４８】
各懸下部分１２，２２のＹ方向の長さは，任意の長さとすることができる。例えば，ヘアーエクステンション１を取り付ける頭部の位置や，装着者の頭髪の長さ等に応じて適宜調節すればよい。例えば，ヘアーエクステンション１を前髪や旋毛の周囲に取付けて，毛量のボリュームアップを目的とする場合には，各懸下部分１２，２２のＹ方向の長さは，５０ｍｍ〜１５０ｍｍ，又は６０ｍｍ〜１４０ｍｍであることが好ましく，特に８０ｍｍ〜１２０ｍｍであることが好ましい。
【００４９】
続いて，ヘアーエクステンション１の取付方法について説明する。図３は，美容師や装着者自身など作業者Ｏが，本発明のヘアーエクステンション１を，着用者の頭髪Ｈに取り付ける状態を模式的に示している。
作業者Ｏは，装着者の頭髪Ｈにヘアーエクステンション１を取り付けるにあたり，剥離紙４０を剥がして，第１部１０の第１の粘着層１３と，第２部２０の第２の粘着層２３を露出させる。作業者Ｏは，各粘着層１３，２３を露出させた状態で，第１の固定部分１１と第２の固定部分２１を，片手で摘み持つ。このとき，ヘアーエクステンション１に含まれる複数の擬毛２，３は，重力に従って下方へと垂れ下がる。
【００５０】
また，作業者Ｏは，第１の固定部分１１と第２の固定部分２１を境界線Ｂに沿って，各粘着層１３，２３が対面する方向に折り曲げる。このとき，ヘアーエクステンション１には，各固定部分１１，２１同士の境界線Ｂに沿った位置に切欠き３０が形成されているため，折れ曲がり易くなっている。
【００５１】
作業者Ｏは，図３に示されるように，各粘着層１３，２３が互いに貼り合わされない程度に，第１の固定部分１１と第２の固定部分２１を折り曲げた状態で，着用者の頭髪Ｈに，ヘアーエクステンション１を近づける。そして，各固定部分１１，２１の各粘着層１３，２３の間に，着用者の頭髪Ｈの任意部分を挟み込む。これにより，各粘着層１３，２３が頭髪Ｈに付着し，ヘアーエクステンション１が仮接着される。ヘアーエクステンション１が仮接着されると，作業者Ｏは，各固定部分１１，２１から手を離すことができる。このとき，ヘアーエクステンション１には切欠き３０が形成されていることから，各粘着層１３，２３にズレが生じることなく，ピッタリと重ね合わせ易くなっている。これにより，各粘着層１３，２３の接着強度が増し，ヘアーエクステンション１の接着の持続性が向上する。
【００５２】
続いて，作業者Ｏは，例えばグルーガンなどの公知の加熱装置（図示省略）によって，仮接着されたヘアーエクステンション１の各固定部分１１，２１を挟み込んで加熱する。各固定部分１１，２１には，熱可塑性樹脂接着剤が塗布されている。各固定部分１１，２１を形成する熱可塑性樹脂接着剤は，加熱されることにより再度融解する。このため，任意時間（例えば１０秒〜３０秒程度），各固定部分１１，２１に挟まれた頭髪Ｈを挟んだ状態で加熱を続けることで，各固定部分１１，２１の熱可塑性樹脂接着剤が融解する。熱可塑性樹脂接着剤の融解が完了すると，作業者Ｏは，加熱装置による挟み込みを解除し，熱可塑性樹脂接着剤を固化させる。これにより，ヘアーエクステンション１が頭髪Ｈに融着される。融着が完了すると，ヘアーエクステンション１は，装着者の頭髪Ｈと一体化する。また，ヘアーエクステンション１に含まれる複数の擬毛２，３は，頭髪Ｈに自然に紛れ込むため，外見上頭髪Ｈの毛量がボリュームアップしたように見える。
【００５３】
また，ヘアーエクステンション１の取付完了後，熱可塑性樹脂接着剤が含まれる部分が，白く濁った色に変色することがある。そこで，ヘアーエクステンション１をより自然に頭髪になじませるために，熱可塑性樹脂接着剤が含まれる各固定部分１１，２１に対して局所的に，着色を施すことが好ましい。各固定部分１１，２１に対する着色は，例えばアクリル絵の具や公知の染毛剤等によって，ヘアーエクステンション１に含まれる擬毛２，３の色と同一又は近似色によって行われる。これにより，外見上は殆ど区別がつかないほど，ヘアーエクステンション１を頭髪に自然に紛れ込ませることができる。
【００５４】
また，例えば美容師は，ヘアーエクステンション１の取付作業後に，擬毛２，３及びその周辺の頭髪Ｈをカットして長さを整えたり，染毛剤を利用してカラーリングを行うこととしてもよい。
【００５５】
図４は，本発明のヘアーエクステンション１の好ましい取り付け位置を説明するための模式図である。本発明のヘアーエクステンション１は，特に，前髪や旋毛の周囲の毛量をボリュームアップさせる用途に適している。このため，本発明のヘアーエクステンション１は，頭部のこめかみよりも上方の領域に毛根を持つ頭髪に取り付けることが好ましい。特に，本発明のヘアーエクステンション１は，毛根付近（毛根から１ｍｍ〜１０ｍｍ）の頭髪に取り付けることが好ましい。
【００５６】
例えば，図４に示されたＡ〜Ｅの領域が，本発明のヘアーエクステンション１を取り付けるのに好ましい領域である。美容・理容業界において，頭部の領域Ａは，フロントセクションと呼ばれる。フロントセクションＡは，顔の正面の額縁となるところであり，主に前髪が生える領域である。また，頭部の領域Ｂ及び領域Ｃは，トップセクションと呼ばれ，こめかみよりも上方であり，旋毛よりも前方（顔側）に位置する領域である。また，頭部の領域Ｄ及び領域Ｅは，トライアングルセクションと呼ばれ，こめかみよりも上方であり，旋毛よりも後方（後頭部側）に位置する領域である。
【００５７】
通常，ヘアーエクステンションによって，頭髪の長さを長く見せようとした場合，図４に示された領域Ｆ，Ｇ（サイドセクション）や，領域Ｈ，Ｉ，Ｊ（スリークウォーターセクション），領域Ｋ，Ｌ（ネープセクション）のようなこめかみよりも下の領域から生える頭髪に，ヘアーエクステンションを取り付けることが好ましいとされている。
他方，本発明のヘアーエクステンション１は，基本的に，前髪や旋毛の周囲の毛量をボリュームアップさせたいという要望に応えることができるように設計されている。このため，本発明のヘアーエクステンション１は，図４に示された域Ａ〜Ｅから生える頭髪の毛根付近に取り付けられるものであることが好ましい。
【００５８】
続いて，図５を参照して，複数個ヘアーエクステンションを頭髪に取り付ける場合の，好ましい取り付け位置を説明する。図５に示された例では，複数個のヘアーエクステンションが上下方向（Ｙ方向）に２段で配置されており，上段のヘアーエクステンション１ａと，下段のヘアーエクステンション１ｂに分類されている。上段のヘアーエクステンション１ａは，左右方向（Ｘ方向）に所定の間隔を置いて取付けられている。同様に，下段のヘアーエクステンション１ｂも，左右方向（Ｘ方向）に所定の間隔を置いて取付けられている。そして，上段のヘアーエクステンション１ａと下段のヘアーエクステンション１ｂは，左右方向（Ｘ方向）に見たときに，各上段のヘアーエクステンション１ａが，各下段のヘアーエクステンション１ｂの間に位置するように，互い違いに取付けられている。このようにして，複数個のヘアーエクステンションを頭髪に取り付けることで，各ヘアーエクステンションの擬毛が絡まることを防止でき，装着者に対して自然な着用感を与えることができる。
【００５９】
続いて，図６は，本発明に係るヘアーエクステンション１の他の形態を示している。図６は，図２と同様に，ヘアーエクステンションの断面を示す模式図である。
図６に示されるように，他の形態に係るヘアーエクステンション１は，上説した実施形態の構成に加え，第１部１０が磁石板１４をさらに含み，第２部２０が磁性を持つ金属板２４をさらに含む構成となっている。
【００６０】
図６に示されるように，磁石板１４は，例えば第１の固定部分１１と第１の粘着層１３の間に配置される。磁石板１４は，ヘアーエクステンション１を頭髪に取り付けた後に目立たないように，極めて薄い板状に形成されていることが好ましい。例えば，磁石板１４は，０．０１ｍｍ〜０．５，又は０．０５ｍｍ〜０．１ｍｍ程度の厚さであることが好ましい。磁石板１４には公知のものを採用できる。
【００６１】
また，図６に示されるように，金属板２４は，例えば第２の固定部分２１と第２の粘着層２３の間に配置される。金属板２４は，ヘアーエクステンション１を頭髪に取り付けた後に目立たないように，極めて薄い板状に形成されていることが好ましい。例えば，金属板２４は，０．０１ｍｍ〜０．５，又は０．０５ｍｍ〜０．１ｍｍ程度の厚さであることが好ましい。金属板２４には，磁性を有する公知の金属（例えば鉄，コバルト，又はニッケル等）を板状にしたものを採用できる。
【００６２】
上記のように，ヘアーエクステンション１の第１部１０と第２部２０に，磁石板１４と金属板２４を配置することで，第１の固定部１１と第２の固定部分２１を折畳むときに，磁石板１４と金属板２４が互いに引き合うため，この折り畳む作業をより簡単かつスムーズに行うことができるという利点がある。
【産業上の利用可能性】
【００６３】
本発明は，装着者の頭髪に取り付けて使用されるヘアーエクステンション，及びヘアーエクステンションの取付方法に関する。従って，本発明は，美容産業や理容産業において好適に利用し得る。
【符号の説明】
【００６４】
１      ヘアーエクステンション
２，３  擬毛
１０    第１部
１１    第１の固定部分
１１ａ  第１の固定部分本体
１１ｂ  第１の突出部
１２    第１の懸下部分
１３    第１の粘着層
１４    磁石板
２０    第２部
２１    第２の固定部分
２１    第２の固定部分本体
２２    第２の突出部
２２    第２の懸下部分
２３    第２の粘着層
２４    金属板
３０    切欠き
３１    切欠きの頂点
【図１】
2013256734.tif 000003
【図２】
2013256734.tif 000004
【図３】
2013256734.tif 000005
【図４】
2013256734.tif 000006
【図５】
2013256734.tif 000007
【図６】
2013256734.tif 000008
【手続補正書】
【提出日】平成24年7月24日(2012.7.24)
【手続補正１】
【補正対象書類名】特許請求の範囲
【補正対象項目名】請求項２
【補正方法】変更
【補正の内容】
【請求項２】
前記第１部（１０）の固定部分（１１）と，前記第２部（２０）の固定部分（２１）のそれぞれは，
長さ方向の一端から前記擬毛が延びる矩形状の固定部分本体（１１ａ，２１ａ）と，
前記固定部分本体（１１ａ，２１ａ）の長さ方向の他端から突出し，前記固定部分本体（１１ａ，２１ａ）よりも幅狭の突出部（１１ｂ，２１ｂ）と，を有し，
前記第１部（１０）の固定部分（１１）と，前記第２部（２０）の固定部分（２１）は，前記固定部分本体（１１ａ，２１ａ）において連接しており，
前記第１部（１０）の突出部（１１ｂ）と前記第２部（２０）の突出部（２１ｂ）の間の隙間が，前記切欠き（３０）となる
請求項１に記載のヘアーエクステンション。
【手続補正２】
【補正対象書類名】図面
【補正対象項目名】図１
【補正方法】変更
【補正の内容】
【図１】
2013256734.tif 000009